(57)【要約】【課題】溢れ防止のための構造が複雑でなく、鍋蓋の原材料及び製法が限定的でない蒸気穴付きの鍋蓋を提供することを課題とする。【解決手段】鍋蓋本体１００と、鍋蓋本体１００の中央部の上面に形成された筒状の把持部１１０と、鍋蓋本体１００の上面と下面とを貫通する蒸気穴１２０とを有し、蒸気穴１２０は、前記上面側の開口が把持部１１０の内壁内に位置し、かつ、当該開口の延長上に当該内壁が位置する態様で形成されている鍋蓋とする。【選択図】図１
2018139625.tif 000002
【特許請求の範囲】
【請求項１】
鍋蓋本体と、
前記鍋蓋本体の中央部の上面に形成された筒状の把持部と、
前記鍋蓋本体の上面と下面とを貫通する蒸気穴とを有し、
前記蒸気穴は、前記上面側の開口が前記把持部の内壁内に位置し、かつ、当該開口の延長上に当該内壁が位置する態様で形成されている鍋蓋。
【請求項２】
前記蒸気穴は、前記把持部の軸心の延在方向に対して斜めに形成されている、請求項１記載の鍋蓋。
【請求項３】
前記蒸気穴は、前記下面側の開口が、前記把持部の直下の周辺に位置するように形成されている、請求項１記載の鍋蓋。
【請求項４】
前記把持部の内壁は、
前記鍋蓋本体の上面との境界を規定する下端部と、
前記下端部よりも径が大きな中央部と、
前記中央部よりも径が小さい上端部とを有し、
前記開口の延長上が、前記中央部から前記上端部に掛けた領域に納まる態様とされている、請求項１記載の鍋蓋。
【請求項５】
請求項１記載の鍋蓋と、
前記鍋蓋に対応する開口を有する鍋本体と、を備える、蓋付き鍋。
【発明の詳細な説明】
【技術分野】
【０００１】
本発明は、鍋蓋及び蓋付き鍋に関し、特に、土、アルミニウム、ステンレス、鉄などが材料となる、蒸気穴付きの鍋蓋及び蓋付き鍋に関する。
【背景技術】
【０００２】
特許文献１には、凸状にラウンドしており、鍋本体の開口部を覆うボディーと、前記ボディーから下部に陥没した陥没部と、前記陥没部の上部に形成され、鍋本体から生成される蒸気が流入される流入ホールと、前記陥没部の下部に形成され、蒸気が液化された液滴が前記本体に流出される流出ホールと、を含んでなる溢れ防止用鍋蓋が開示されている。
【先行技術文献】
【特許文献】
【０００３】
【特許文献１】特表２０１４−５０６８２５号公報
【発明の開示】
【発明が解決しようとする課題】
【０００４】
しかし、特許文献１に開示されている溢れ防止用鍋蓋は、特許文献１の図面から明らかなように、溢れ防止のための構造が複雑である。それゆえ、鍋蓋の原材料及び製法が限定的であるという問題がある。例えば、特許文献１に開示されているものを、鋳型を用いて製造することは非常に困難である。
【０００５】
そこで、本発明は、上記不都合を回避する蒸気穴付きの鍋蓋を提供することを課題とする。
【課題を解決するための手段】
【０００６】
上記課題を解決するために、本発明の鍋蓋は、
鍋蓋本体と、
前記鍋蓋本体の中央部の上面に形成された筒状の把持部と、
前記鍋蓋本体の上面と下面とを貫通する蒸気穴とを有し、
前記蒸気穴は、前記上面側の開口が前記把持部の内壁内に位置し、かつ、当該開口の延長上に当該内壁が位置する態様で形成されている。
【０００７】
前記蒸気穴は、前記把持部の軸心の延在方向に対して斜めに形成されていてもよい。こうすると、アルミニウム製、ステンレス製といった相対的に、硬性のある材料の鍋蓋の場合に、ドリルなどを用いて容易に蒸気穴を形成できる。
【０００８】
また、前記把持部の内壁は、前記鍋蓋本体の上面との境界を規定する下端部と、前記下端部よりも径が大きな中央部と、前記中央部よりも径が小さい上端部とを有し、
前記開口の延長上が、前記中央部から前記上端部に掛けた領域に納まる態様とするとよい。
【０００９】
これにより、前記把持部に向けて噴出した液滴は、中央部から上端部に亘る斜面で受けられるので、把持部の外に飛び散ることが、より防止される。
【００１０】
さらに、本発明の蓋付き鍋は、
上記の鍋蓋と、
前記鍋蓋に対応する開口を有する鍋本体と、を備える。
【図面の簡単な説明】
【００１１】
【図１】本発明の実施形態の鍋蓋の蒸気穴の軸心に沿った断面図である。
【符号の説明】
【００１２】
１００  鍋蓋本体
１１０  把持部
１２０  蒸気穴
１３０  補強部
２００  鍋本体
【発明を実施するための形態】
【００１３】
以下、本発明の実施形態について図面を参照して説明する。
【００１４】
図１は、本発明の実施形態の鍋蓋の蒸気穴の軸心に沿った断面図である。図１に示すように、本実施形態の鍋蓋は、ドーム形状の鍋蓋本体１００と、鍋蓋本体１００の中央部の上面に形成された略筒状の把持部１１０と、鍋蓋本体１００の上面と下面とを貫通する蒸気穴１２０と、蒸気穴１２０を形成するために鍋蓋本体１００の下面に形成された補強部１３０とを備えている。
【００１５】
なお、図１には、参考のため、鍋蓋本体１００に対応する開口を有する鍋本体２００も示しているが、鍋本体２００の形状、大きさ、寸法はこれに限定されるものではない。また、鍋本体２００の材質等は、鍋蓋本体１００と同じであってもよいし、異なってもよい。
【００１６】
鍋蓋本体１００は、土、アルミニウム、ステンレス、鉄などを材料とすることができる。鍋蓋本体１００は、調理の用途に応じて様々な大きさのものが考えられる。一般的には、直径が１５ｃｍ〜３０ｃｍ程度のものが考えられる。鍋蓋本体１００は、ここではドーム形状のものを示しているが、全体として或いは下面が平らなものでもよい。
【００１７】
鍋本体２００は、土、アルミニウム、ステンレス、鉄などを材料とすることができる。鍋本体２００は、鍋蓋本体１００に対応する大きさのものが用いられる。また、鍋本体２００及び鍋蓋本体１００は、鋳型を含む各種型などを用いて製造することができる。
【００１８】
鍋蓋本体１００には、鍋本体２００と鍋蓋本体１００とに囲まれた空間に、調理時に発生する蒸気を外に逃がすことによって、吹きこぼれ等を防止するための蒸気穴１２０が形成されている。
【００１９】
蒸気穴１２０は、上記のように、鍋蓋本体１００の上面と下面とを貫通するものであり、これに限定されるものではないが、図示しないドリルによって開口することができる。蒸気穴１２０は、例えば、３ｍｍ〜８ｍｍ程度の直径とすることができる。この直径は、鍋蓋本体１００の大きさに拘わらず一定の大きさとしてもよいし、鍋蓋本体１００の大きさに応じて決定することもできる。
【００２０】
本実施形態では、蒸気穴１２０は、把持部１１０の軸心の延在方向に対して斜めに形成されている。こうすると、後述効果を得つつも、蒸気穴１２０を形成するための加工が簡易になるという利点がある。特に、鍋蓋本体１００が、アルミニウム製、ステンレス製といった相対的に硬性のある材料の場合には、ドリルなどを用いれば、容易に蒸気穴１２０を形成できる。
【００２１】
もっとも、蒸気穴１２０は必ずしも直線状とする必要はなく、例えば「くの字型」とすることもできるし、その他の形状とすることもできる。
【００２２】
鍋蓋本体１００の下面における蒸気穴１２０の形成位置の近傍には、把持部１１０の軸心に対して斜めに蒸気穴１２０を開口する際に、鍋蓋本体１００にひび割れ、欠けが生じることを回避するための補強部１３０が選択的に形成されている。補強部１３０は、鍋蓋本体１００と同じ素材とすることができるし、異なる素材とすることもできる。また、鍋蓋本体１００の材料によっては、ひび割れ等が生じないので、補強部１３０を形成することは必須ではない。
【００２３】
また、鍋蓋本体１００には、鍋蓋本体１００の中央部の上面に形成された略筒状の把持部１１０が形成されている。把持部１１０の内壁は、鍋蓋本体１００の上面との境界を規定する下端部１１０Ａと、下端部１１０Ａよりも径が大きな中央部１１０Ｂと、中央部１１０Ｂよりも径が小さい上端部１１０Ｃとに大別される。
【００２４】
把持部１１０の外壁は、把持部１１０の内壁に応じた形状としている。これにより、中央部１１０Ｂに対応する箇所を把持できるので、鍋蓋本体１００が持ちやすくなり、また、鍋蓋本体１００を落下によって破損させてしまうことを回避できるといった取扱性の向上につながる。
【００２５】
本実施形態では、蒸気穴１２０は、例えば、その開口の延長上が把持部１１０の内壁に位置するようにしてある。最も良いと考えられる態様としては、中央部１１０Ｂから上端部１１０Ｃに掛けた領域に納まるようにすることである。これにより、把持部１１０に向けて噴出したデンプンの粘化物は、中央部１１０Ｂから上端部１１０Ｃに亘る斜面で受けられるので、把持部の外に飛び散ることがより防止される。
【００２６】
ここで、本実施形態の鍋蓋本体１００は、蒸気穴１２０の位置が特徴的である。すなわち、蒸気穴１２０は、鍋蓋本体１００の上面側の開口が把持部１１０の内壁内に位置している。しかも、この上面側の開口は、その延長上に把持部１１０の内壁が位置する態様で形成されている。
【００２７】
こうすると、蒸気穴１２０は、鍋蓋本体１００の軸心に対して斜めに形成されることになる。また、鍋蓋本体１００の下面側の開口は、この例では把持部１１０の形成位置よりも外側、つまり、把持部１１０の直下の周辺に位置するようにしている。
【００２８】
なお、ここでいう周辺とは、本明細書において、厳密な意味で把持部１１０の直下が含まれることを除外するものではない。把持部１１０には一定の大きさもある。鍋蓋本体１００の重量によって、把持部１１０の大きさが変わることもあろう。また、鍋本体２００にも様々な大きさがある。そうすると、把持部１１０の直下と言っても、中心寄りの場合と周辺寄りの場合とがある。そこで、本明細書では、この周辺寄りの場合も、把持部１１０の直下の周辺に含まれるものとする。
【００２９】
鍋本体２００は、炊飯を含む様々な調理をすることができる。当業者であれば鍋本体２００を用いて炊飯をすると、炊飯時には、蒸気穴１２０から、単に蒸気のみならず、米に含まれているデンプンの粘化物も噴出することが、容易に理解できるであろう。
【００３０】
念のため付言すると、米の成分中の大半、デンプンから構成されている。デンプンのほとんどは、アミロース及びアミロペクチンといったα−グルコースが多数つながった構造物であるが、これらは、炊きあがった米の粘り具合などに影響を及ぼす。
【００３１】
アミロース等は、米を炊く前の状態では、高分子であるが、水と熱とが加わると、アミロース等を構成している糖と糖との間に隙間が生じることによって単分子となる。この隙間には、水が入り込むことになり、デンプンは膨張する。そして、加熱によって膨潤し続けると、粘性の強い液、つまり、デンプンの粘化物が発生する。
【００３２】
そして、炊飯時に鍋本体２００内で発生する蒸気には、デンプンの粘化物が含まれることになる。デンプン入りの蒸気は、上記のように蒸気穴１２０を通じて、上面側の開口から噴出するが、鍋本体２００内から外に出ると、外気が相対的に低温であるため、冷却されてゲル状になる。
【００３３】
このデンプンは、滑らかな口あたりを実現したり、粘性によって調味料等の米への絡まりやすさを実現したり、炊きあがった米の温度低下を実現するなどの調理特性を有する。したがって、デンプンの離脱量が多くなると、米の滑らかな口あたり等が実現できなくなり、ひいては、米を美味しく炊き上げることができないということになる。
【００３４】
ここで、炊飯は、米を煮る工程と蒸す工程とに大別される。相対的に高温加熱を行う煮る工程においては、蒸気穴１２０を通じて鍋蓋本体１００の外に出る蒸気の量は多い。本実施形態の場合、蒸気に含まれて鍋蓋本体１００の外に出たデンプンの粘化物は、ゾル状のまま把持部１１０内にとどまる。
【００３５】
そして、その後になされる相対的に低温加熱を行う蒸す工程においては、蒸気穴１２０を通じて鍋蓋本体１００の外に出る蒸気量が減少する。このため、把持部１１０内にとどまっているデンプンの粘化物は、自重により再び蒸気穴１２０を通じて鍋蓋本体１００内に戻る。
【００３６】
つまり、本実施形態の鍋蓋本体１００を用いると、炊飯によって米から離脱したデンプンを、蒸す工程時に炊いている米側に戻すことができる。これにより、米を美味しく炊き上げることができるのである。
【００３７】
また、本実施形態の鍋蓋本体１００を用いると、別の観点からも美味しく米を炊き上げることができるので、この点についても説明する。
【００３８】
美味しく米を炊き上げるには、炊きムラを発生させないことが重要であることが知られている。しかし、米を煮る工程であっても蒸す工程であっても、鍋本体２００を火にかけたときには、火元に近い位置と遠い位置とでは、物理的に同じ温度にはならない。
【００３９】
火元からの熱は伝達距離が延びるほど、その途中で米を加熱する際に、米によってエネルギーが消費される。したがって、一般的には、火元から遠い位置には熱は伝わりにくい。一方で、火元から遠い位置であっても、鍋本体２００自体を媒体とした伝熱があるため、鍋本体２００の内壁に近い位置であれば、熱は伝わりやすい。
【００４０】
そうすると、鍋蓋本体１００の把持部１１０の直下であって、鍋蓋本体１００の上方位置は、火元からも離れているし、また、鍋本体２００の内壁からも離れているので、相対的に低温になりやすい。したがって、炊きムラを発生させないようにするには、炊飯時に、この位置の温度低下を防止することが必要である。
【００４１】
上記のように、炊飯によって生じるデンプンを蒸らしている米側に戻すことは、美味しく米を炊き上げるために必要なポイントの一つになる。しかし、問題なのは、このデンプンを戻す位置である。
【００４２】
鍋本体２００の上面側の開口から噴出したデンプンの粘化物が、鍋本体２００側に戻る際には、相対的に低温であるので、仮に、蒸気穴１２０を把持部１１０の軸心に沿って開口した場合には、鍋蓋本体１００の把持部１１０の直下に落下することになる。これでは、この箇所の温度が低下すし、したがって、炊きムラが発生する。
【００４３】
このような考察から、本実施形態の鍋蓋本体１００は、蒸気穴１２０の開口向き、より具体的には蒸気穴１２０の下面側の開口の位置を工夫して、落下するデンプンが鍋蓋本体１００の把持部１１０の直下とならないようにしている。
【００４４】
もっとも、この観点だけを考慮するならば、そもそも、蒸気穴１２０の開口位置を、把持部１１０のある鍋蓋本体１００の中心部分ではなく、鍋蓋本体１００の外周部とすることもできよう。
【００４５】
しかし、これでは、蒸気穴１２０の上面側の開口から噴出したデンプンの粘化物は、鍋蓋本体１００の蒸気穴１２０の上面側の開口から噴出すると、既存の鍋蓋には蒸気穴１２０から噴出したデンプンの粘化物を受ける部分がないため、鍋本体２００の周辺に飛び散ってしまう。これでは、蒸気穴１２０の上面側の開口から噴出したデンプン鍋本体２００内に戻すことができない。
【００４６】
一方で、蒸気穴１２０から噴出したデンプンの粘化物を受ける部分を、既存の鍋蓋にわざわざ設けるのは面倒である。
【００４７】
そこで、本実施形態の鍋蓋本体１００は、蒸気穴１２０の上面側の開口から噴出したデンプンを、通常、鍋蓋本体１００に設けられている把持部１１０をうまく利用して受けるようにして、蒸気穴１２０から噴出したデンプンの粘化物を鍋本体２００内に戻せるようにしている。
【００４８】
これにより、本実施形態の鍋蓋本体１００を用いて炊飯すると、既存の鍋蓋本体では得ることができない、美味しい米の炊飯を実現することができる。
【図１】
2018139625.tif 000003
【手続補正書】
【提出日】平成29年1月31日(2017.1.31)
【手続補正１】
【補正対象書類名】特許請求の範囲
【補正対象項目名】請求項１
【補正方法】変更
【補正の内容】
【請求項１】
鍋蓋本体と、
前記鍋蓋本体の中央部の上面に形成された筒状の把持部と、
前記鍋蓋本体の上面と下面とを貫通する蒸気穴とを有し、
前記蒸気穴は、前記上面側の開口が前記把持部の内壁内の下端部に位置し、かつ、当該開口の延長上に当該内壁が位置する態様で形成されている鍋蓋。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
鍋蓋本体と、
前記鍋蓋本体の中央部の上面に形成された筒状の把持部と、
前記鍋蓋本体の上面と下面とを貫通する前記把持部の軸心の延在方向に対して斜めに形成された蒸気穴とを有し、
前記蒸気穴は、前記上面側の開口が前記把持部の内壁内の下端部に位置し、かつ、当該開口の延長上に当該内壁が位置する態様で形成されている鍋蓋。
【請求項２】
前記蒸気穴は、前記下面側の開口が、前記把持部の直下の周辺に位置するように形成されている、請求項１記載の鍋蓋。
【請求項３】
前記把持部の内壁は、
前記鍋蓋本体の上面との境界を規定する下端部と、
前記下端部よりも径が大きな中央部と、
前記中央部よりも径が小さい上端部とを有し、
前記開口の延長上が、前記中央部から前記上端部に掛けた領域に納まる態様とされている、請求項１記載の鍋蓋。
【請求項４】
請求項１記載の鍋蓋と、
前記鍋蓋に対応する開口を有する鍋本体と、を備える、蓋付き鍋。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
鍋蓋本体と、
前記鍋蓋本体の中央部の上面に形成された筒状の把持部と、
前記鍋蓋本体の上面と下面とを貫通する前記把持部の軸心の延在方向に対して斜めに形成された蒸気穴とを有し、
前記蒸気穴は、前記上面側の開口が前記把持部の内壁内の下端部に位置し、かつ、当該開口の延長上に当該内壁が位置する態様で形成されている鍋蓋であって、
前記把持部の内壁は、
前記鍋蓋本体の上面との境界を規定する下端部と、
前記下端部よりも径が大きな中央部と、
前記中央部よりも径が小さい上端部とを有し、
前記開口の延長上が、前記中央部から前記上端部に掛けた領域に納まる態様とされている鍋蓋。
【請求項２】
鍋蓋本体と、
前記鍋蓋本体の中央部の上面に形成された筒状の把持部と、
前記鍋蓋本体の上面と下面とを貫通する前記把持部の軸心の延在方向に対して斜めに形成された蒸気穴とを有し、
前記蒸気穴は、前記上面側の開口が前記把持部の内壁内の下端部に位置し、かつ、当該開口の延長上に当該内壁であってその側壁が位置する態様で形成されている鍋蓋。
【請求項３】
前記蒸気穴は、前記下面側の開口が、前記把持部の直下の周辺に位置するように形成されている、請求項１又は２記載の鍋蓋。
【請求項４】
前記把持部の内壁は、
前記鍋蓋本体の上面との境界を規定する下端部と、
前記下端部よりも径が大きな中央部と、
前記中央部よりも径が小さい上端部とを有し、
前記開口の延長上が、前記中央部から前記上端部に掛けた領域に納まる態様とされている、請求項１又は２記載の鍋蓋。
【請求項５】
請求項１又は２記載の鍋蓋と、
前記鍋蓋に対応する開口を有する鍋本体と、を備える、蓋付き鍋。